(57)【特許請求の範囲】
【請求項１】
同一コンテンツを複数の階層で受信し、主階層の受信状態に応じて出力する階層を切替える受信装置において、
受信した主階層の信号を少なくともτ２時間蓄積して出力する主階層蓄積手段と、
受信した副階層の信号を少なくともτ２時間蓄積して出力する副階層蓄積手段と、
前記受信した主階層の信号の受信状態を判定する判定手段と、
前記主階層蓄積手段からの主階層の信号と、前記副階層蓄積手段からの副階層の信号とを入力し、いずれか一方を選択して出力する選択手段と、
前記選択手段に、前記判定手段によって主階層の信号の受信状態の悪化が時刻ｔ１に検出されると、前記副階層蓄積手段に蓄積されている時刻ｔ１からτ１時間に対応する副階層の信号を選択する指示を行い、前記副階層の信号を選択している間に、前記判定手段によって主階層の信号の受信状態の悪化が検出される度に、検出された時刻からτ１時間、前記副階層の信号を選択する時間を延長する指示を行い、前記副階層の信号が選択される最後の時刻ｔ２からτ２時間の間、前記判定手段によって主階層の信号の受信状態を監視し、前記τ２時間の間に主階層の信号の受信状態の悪化が時刻ｔ３に検出されると、前記時刻ｔ２から前記時刻ｔ３の間、前記副階層の信号を選択する時間を延長する指示を行う選択制御手段と
を有することを特徴とする受信装置。
【請求項２】
前記判定手段は、主階層の信号の誤り率に基づいて、主階層の信号の受信状態を判定するように構成されていることを特徴とする請求項１に記載の受信装置。
【請求項３】
前記判定手段は、主階層の信号の電界強度に基づいて、主階層の信号の受信状態を判定するように構成されていることを特徴とする請求項１に記載の受信装置。
【請求項４】
前記判定手段は、主階層の信号のリードソロモンのエラーフラグに基づいて、主階層の信号の受信状態を判定するように構成されていることを特徴とする請求項１に記載の受信装置。
【請求項５】
同一コンテンツを複数の階層で受信し、主階層の受信状態に応じて出力する階層を切替える階層切り替え方法において、
受信した主階層の信号を、少なくともτ２時間、主階層蓄積手段に蓄積し、
受信した副階層の信号を、少なくともτ２時間、副階層蓄積手段に蓄積し、
前記受信した主階層の信号の受信状態を判定し、
前記主階層の信号の受信状態の悪化が時刻ｔ１に検出されると、前記副階層蓄積手段に蓄積されている時刻ｔ１からτ１時間に対応する副階層の信号を選択し、
前記副階層の信号を選択している間に、主階層の信号の受信状態の悪化が検出される度に、検出された時刻からτ１時間、前記副階層の信号を選択する時間を延長し、
前記副階層の信号が選択される最後の時刻ｔ２からτ２時間の間、前記主階層の信号の受信状態を監視し、前記τ２時間の間に主階層の信号の受信状態の悪化が時刻ｔ３に検出されると、前記時刻ｔ２から前記時刻ｔ３の間、前記副階層の信号を選択する時間を延長する
ことを特徴とする階層切り替え方法。
【請求項６】
主階層の信号の誤り率に基づいて、主階層の信号の受信状態を判定するように構成されていることを特徴とする請求項５に記載の階層切り替え方法。
【請求項７】
主階層の信号の電界強度に基づいて、主階層の信号の受信状態を判定することを特徴とする請求項５に記載の階層切り替え方法。
【請求項８】
主階層の信号のリードソロモンのエラーフラグに基づいて、主階層の信号の受信状態を判定することを特徴とする請求項５に記載の階層切り替え方法。
【請求項９】
同一コンテンツを複数の階層で受信し、主階層の受信状態に応じて出力する階層を切替える受信装置のプログラムにおいて、
前記プログラムは、前記受信装置を、
受信した主階層の信号を少なくともτ２時間蓄積して出力する主階層蓄積手段と、
受信した副階層の信号を少なくともτ２時間蓄積して出力する副階層蓄積手段と、
前記受信した主階層の信号の受信状態を判定する判定手段と、
前記主階層蓄積手段からの主階層の信号と、前記副階層蓄積手段からの副階層の信号とを入力し、いずれか一方を選択して出力する選択手段と、
前記選択手段に、前記判定手段によって主階層の信号の受信状態の悪化が時刻ｔ１に検出されると、前記副階層蓄積手段に蓄積されている時刻ｔ１からτ１時間に対応する副階層の信号を選択する指示を行い、前記副階層の信号を選択している間に、前記判定手段によって主階層の信号の受信状態の悪化が検出される度に、検出された時刻からτ１時間、前記副階層の信号を選択する時間を延長する指示を行い、前記副階層の信号が選択される最後の時刻ｔ２からτ２時間の間、前記判定手段によって主階層の信号の受信状態を監視し、前記τ２時間の間に主階層の信号の受信状態の悪化が時刻ｔ３に検出されると、前記時刻ｔ２から前記時刻ｔ３の間、前記副階層の信号を選択する時間を延長する指示を行う選択制御手段と
して機能させることを特徴とする受信装置のプログラム。
【請求項１０】
前記プログラムは、前記判定手段を、主階層の信号の誤り率に基づいて、主階層の信号の受信状態を判定する手段として機能させることを特徴とする請求項９に記載の受信装置のプログラム。
【請求項１１】
前記プログラムは、前記判定手段を、主階層の信号の電界強度に基づいて、主階層の信号の受信状態を判定する手段として機能させることを特徴とする請求項９に記載の受信装置のプログラム。
【請求項１２】
前記プログラムは、前記判定手段を、主階層の信号のリードソロモンのエラーフラグに基づいて、主階層の信号の受信状態を判定する手段として機能させることを特徴とする請求項９に記載の受信装置のプログラム。
【発明の詳細な説明】
【技術分野】
【０００１】
本発明は受信装置、階層切り替え方法、及びプログラムに関し、特に、同一コンテンツを複数の階層で受信し、主階層の受信状態に応じて出力する階層を切替える際に、階層の切り替えが頻繁に起こることを防ぐことができる受信装置、階層切り替え方法、及びプログラムに関する。
【背景技術】
【０００２】
近年、地上アナログ放送波に代わる放送として、地上デジタル放送が開始された。この地上デジタル放送システムはマルチキャリア方式であり、１チャンネルの伝送帯域(帯域幅６MHz)のうち、ガードバンドとして４２９kHzを割り当て、残りの帯域幅を１３個のセグメントに分割したＯＦＤＭ(Orthogonal Frequency Division Multiplexing)方式によって放送されている。尚、セグメントとは、データキャリアに制御信号キャリアを付加した伝送信号の基本帯域（ガードバンドを除くテレビチャンネル帯域の１／１３）信号である。１３セグメントに分割された１チャンネルの伝送帯域は、セグメントごとに、伝送パラメータや伝送する情報を設定することができる。
【０００３】
このため、１チャンネルで高精細テレビジョン放送を放送したり、１チャンネルで複数の標準テレビジョン放送や、データ放送などさまざまなサービスを組み合わせて放送したりすることができる。
【０００４】
また、一部のセグメント（階層）の伝送パラメータを妨害に強く設定（例えば、変調方式をかえる）することにより、家庭での受信に加えて、自動車等の移動体での受信や携帯端末の受信に適したサービスを行うことも可能である。地上デジタル放送では、１３個のセグメントの中央の１セグメントを、携帯向け放送サービスとして使用する予定であり、この携帯端末等を用いた部分受信用の放送サービスを拡充する為に中継局を設けて受信可能エリアを拡大する検討がなされている。
【０００５】
このように、地上デジタル放送では、高画質なテレビジョン放送（以下、１２セグ放送という）と、移動体での受信に適したテレビジョン放送（以下、１セグ放送という）とを行い、地上デジタル放送をモバイル端末や車載端末を用いて移動しながら受信するという利用シーンが期待されている。
【０００６】
しかし、電波塔や各放送局の中継局からのデジタル放送信号を移動体に搭載されたデジタル放送受信装置で受信する場合、移動することにより受信場所が変るため、移動体が建物等の影に入ったり、あるいは電波塔や中継局からの距離が変化し、受信するデジタル放送信号の電界強度が変化する。
【０００７】
また、電波塔や各放送局の中継局に対して移動体が近づいたりあるいは遠ざかったりするため、ドップラ効果により電波塔や各放送局の中継局から放送されたキャリア波における直接波の周波数と建物等で反射した反射波の周波数とが異なる。そのため、フェージング（周波数干渉）により受信するデジタル放送信号の電界強度が変化したり、複数の周波数の変化によりデータを符号化している周波数のキャリア波をデジタル放送受信装置で適切に選択できないために画質や音質が低下する。さらに、移動体の場合、天候の悪化や高速走行等によっても、受信するデジタル放送信号の電界強度が変化する。
【０００８】
このため、移動体において、高画質な１２セグ放送だけを受信していると、映像や音声が途切れたりあるいは映像や音声が乱れたりする場合がある。
【０００９】
このような状況を避けるために、移動体向けの１セグ放送のみを受信して、上述の問題点を回避することも考えられるが、視聴者にしてみれば、移動体であっても、高画質な１２セグ放送を視聴したいとの希望がある。
【００１０】
そこで、このような問題点を解決するため、１２セグ放送と１セグ放送とを受信し、受信状態に応じて、視聴する放送を切替えるという技術が提案された（特許文献１）。この技術によれば、映像や音声が途切れそうな受信状態の階層を視聴している場合でも、受信状態の良好な階層に切り替えて視聴が可能となる。
【００１１】
【特許文献１】特開２００３−２７４３０２号公報
【発明の開示】
【発明が解決しようとする課題】
【００１２】
しかしながら、上述の特許文献１の技術は、１２セグ放送と１セグ放送を同時に受信し、１２セグ放送の受信状態が悪化した場合に１セグ放送に切り替えるというものであり、移動受信においては、絶えず受信環境が変化し、１２セグ放送と１セグ放送との切り替えが頻繁に発生することが容易に想定される。１２セグ放送と１セグ放送との切り替えが頻繁に発生すると、視聴者にとっては大きなストレスとなるという課題があった。
【００１３】
そこで、本発明は上記課題に鑑みて発明されたものであって、その目的は１２セグ放送のような主階層と１セグ放送のような副階層との切り替えが頻繁に発生することを防ぎ、移動受信であっても、視聴者に快適な視聴環境を実現できる技術を提供することにある。
【課題を解決するための手段】
【００１５】
上記課題を解決する本発明は、同一コンテンツを複数の階層で受信し、主階層の受信状態に応じて出力する階層を切替える受信装置において、受信した主階層の信号を少なくともτ２時間蓄積して出力する主階層蓄積手段と、受信した副階層の信号を少なくともτ２時間蓄積して出力する副階層蓄積手段と、前記受信した主階層の信号の受信状態を判定する判定手段と、前記主階層蓄積手段からの主階層の信号と、前記副階層蓄積手段からの副階層の信号とを入力し、いずれか一方を選択して出力する選択手段と、前記選択手段に、前記判定手段によって主階層の信号の受信状態の悪化が時刻ｔ１に検出されると、前記副階層蓄積手段に蓄積されている時刻ｔ１からτ１時間に対応する副階層の信号を選択する指示を行い、前記副階層の信号を選択している間に、前記判定手段によって主階層の信号の受信状態の悪化が検出される度に、検出された時刻からτ１時間、前記副階層の信号を選択する時間を延長する指示を行い、前記副階層の信号が選択される最後の時刻ｔ２からτ２時間の間、前記判定手段によって主階層の信号の受信状態を監視し、前記τ２時間の間に主階層の信号の受信状態の悪化が時刻ｔ３に検出されると、前記時刻ｔ２から前記時刻ｔ３の間、前記副階層の信号を選択する時間を延長する指示を行う選択制御手段とを有することを特徴とする。
【００１７】
上記課題を解決する本発明は、同一コンテンツを複数の階層で受信し、主階層の受信状態に応じて出力する階層を切替える階層切り替え方法において、受信した主階層の信号を、少なくともτ２時間、主階層蓄積手段に蓄積し、受信した副階層の信号を、少なくともτ２時間、副階層蓄積手段に蓄積し、前記受信した主階層の信号の受信状態を判定し、前記主階層の信号の受信状態の悪化が時刻ｔ１に検出されると、前記副階層蓄積手段に蓄積されている時刻ｔ１からτ１時間に対応する副階層の信号を選択し、前記副階層の信号を選択している間に、主階層の信号の受信状態の悪化が検出される度に、検出された時刻からτ１時間、前記副階層の信号を選択する時間を延長し、前記副階層の信号が選択される最後の時刻ｔ２からτ２時間の間、前記主階層の信号の受信状態を監視し、前記τ２時間の間に主階層の信号の受信状態の悪化が時刻ｔ３に検出されると、前記時刻ｔ２から前記時刻ｔ３の間、前記副階層の信号を選択する時間を延長することを特徴とする。
【００１９】
上記課題を解決する本発明は、同一コンテンツを複数の階層で受信し、主階層の受信状態に応じて出力する階層を切替える受信装置のプログラムにおいて、前記プログラムは、前記受信装置を、受信した主階層の信号を少なくともτ２時間蓄積して出力する主階層蓄積手段と、受信した副階層の信号を少なくともτ２時間蓄積して出力する副階層蓄積手段と、前記受信した主階層の信号の受信状態を判定する判定手段と、前記主階層蓄積手段からの主階層の信号と、前記副階層蓄積手段からの副階層の信号とを入力し、いずれか一方を選択して出力する選択手段と、前記選択手段に、前記判定手段によって主階層の信号の受信状態の悪化が時刻ｔ１に検出されると、前記副階層蓄積手段に蓄積されている時刻ｔ１からτ１時間に対応する副階層の信号を選択する指示を行い、前記副階層の信号を選択している間に、前記判定手段によって主階層の信号の受信状態の悪化が検出される度に、検出された時刻からτ１時間、前記副階層の信号を選択する時間を延長する指示を行い、前記副階層の信号が選択される最後の時刻ｔ２からτ２時間の間、前記判定手段によって主階層の信号の受信状態を監視し、前記τ２時間の間に主階層の信号の受信状態の悪化が時刻ｔ３に検出されると、前記時刻ｔ２から前記時刻ｔ３の間、前記副階層の信号を選択する時間を延長する指示を行う選択制御手段として機能させることを特徴とする。
【発明の効果】
【００２０】
本発明によれば、１２セグ放送のような主階層と１セグ放送のような副階層との切り替えが頻繁に発生することを防ぎ、移動受信であっても、視聴者に快適な視聴環境を提供することができる。
【発明を実施するための最良の形態】
【００２１】
本発明の第１の実施の形態を説明する。尚、以下の説明において、主階層の放送を地上デジタル放送の１２セグ放送とし、副階層の放送を地上デジタル放送の１セグ放送とした場合を説明する。また、１セグ放送と１２セグ放送とは、同一のコンテンツがサイマル放送されているものとする。
尚、本発明は地上デジタル放送に限らず、複数の階層を用いて同一コンテンツをサイマル放送する際に適用することが可能である。また、高画質・高音質の階層を主階層に選択し、低画質・低音質の階層を副階層に選択することが一般的であるが、逆であってもかまわない。
更に、本発明は放送波に限ることなく、FPU(Field Pickup Unit)のような無線中継伝送方式にも適用可能である。例えば、移動中継車に積載された送信装置より、ＨＤ(High Definition)画質とＳＤ(Standard Definition)画質を階層伝送し、受信装置で階層を切り替えて受信する場合にも適用可能である。
【００２２】
図１は第１の実施の形態のデジタル放送受信装置のブロック図である。
【００２３】
デジタル放送受信装置は、受信した１セグ放送と１２セグ放送とを入力とし、いずれか一方を出力する切り替え部１と、受信した１２セグ放送の誤り率を測定する誤り率測定部２と、誤り率測定部２からの誤り率に基づいて、切り替え部１を制御する切り替え制御部３と、切り替え部１から出力された１セグ放送又は１２セグ放送を入力して表示するモニタ４とを備える。
【００２４】
切り替え制御部３は、誤り率測定部２からの１２セグ放送の誤り率が予め設定された閾値を超えると、これをトリガとして切り替え部１を制御し、予め設定した１セグ放送の切り替え時間τ（固定時間）の間、切り替え部１から１セグ放送を出力させる。そして、１セグ放送を出力させる切り替え時間τの間は、たとえ１２セグ放送の誤り率が閾値以下となっても、切り替え部１を制御し、１２セグ放送に切り替えさせずに１セグ放送の出力を維持させる。そして、切り替え部１は、切り替え時間τ経過後、１セグ放送から１２セグ放送に出力を切替える。
【００２５】
次に、第１の実施の形態のデジタル放送受信装置の動作を説明する。
【００２６】
図２は第１の実施の形態のデジタル放送受信装置の動作フローチャートであり、図３は第１の実施の形態の動作を説明する為の図である。尚、以下の説明にあたって、切り替え部１からは１２セグ放送が出力されており、モニタ４には１２セグ放送がモニタ出力されているものとする。
【００２７】
まず、誤り率測定部２によって、１２セグ放送の誤り率が測定され（Ｓｔｅｐ  １００）、誤り率が予め設定された閾値を超えているかを判定する（Ｓｔｅｐ  １０１）。１２セグ放送の誤り率が閾値を超えていない場合、Ｓｔｅｐ  １００に戻る。
【００２８】
一方、１２セグ放送の誤り率が閾値を超えている場合、切り替え部１から１２セグ放送が出力されているかを判定する（Ｓｔｅｐ  １０２）。切り替え部１から１２セグ放送が出力されている場合、切り替え部１の出力を１セグ放送に切り替え（Ｓｔｅｐ  １０３）、切り替え時間τの間、１セグ放送の出力を維持する（Ｓｔｅｐ  １０４）。また、切り替え部１から１２セグ放送が出力されておらず、１セグ放送が出力されている場合、Ｓｔｅｐ  １００に戻る。
【００２９】
例えば、図３のように、１２セグ放送の誤り率が閾値を超えると、切り替え部１の出力が１２セグ放送から１セグ放送に切り替わり、１セグ放送の出力を切り替え時間τ、維持する。その切り替え時間τの間、たとえ１２セグ放送の受信状態が回復して誤り率が閾値を超えなくなったとしても、切り替え時間τの間は１セグ放送が出力される。すなわち、１セグ放送の切り替え時間τの間は、１２セグ放送の誤り率の変化に関係せずに１セグ放送が出力されるのである。
【００３０】
このように構成することにより、１２セグ放送と１セグ放送との切り替えが頻繁に発生することを防ぐことができる。
【００３１】
尚、上述した実施の形態では、１２セグ放送（主階層）の受信状態の判定を、誤り率を用いて判断したが、これに限ることなく、例えば、放送信号の電界強度や、放送信号のリードソロモンのエラーフラグに基づいて判断しても良い。
【００３２】
更に、図４に示すように、１２セグ放送（主階層）の受信状態の判定だけでなく、１セグ放送（副階層）の受信状態の判定も行い、１セグ放送が受信可能な場合にのみ切り替えを行うこともできる。
【００３３】
また、１セグ放送も受信できない場合は、１セグ放送のデータ放送の内容を予め記憶しておき、この情報をユーザに提示してストレスを軽減することなどもできる。
【００３４】
第２の実施の形態を説明する。
【００３５】
第１の実施の形態では、１セグ放送の切り替え時間をエラーの検出時から固定時間とする例を説明した。第２の実施の形態では、１セグ放送の切り替え時間をエラーの発生状況に応じて変化させ、頻繁な切り替えをより防ぐ例について説明する。
【００３６】
このような構成を実現するために、第２の実施の形態では、図５に示す如く、１セグ放送と１２セグ放送とを所定のＴ時間蓄積する記憶部１０，１１とを新たに設け、蓄積されている１セグ放送と１２セグ放送とを切り替え部１に入力する。従って、切り替え部１からモニタ４に出力される１セグ放送又は１２セグ放送は受信後Ｔ時間タイムシフトされたものとなる。更に、１２セグ放送のリードソロモンのエラーフラグを検出するエラーフラグ検出部１２を設け、このエラーフラグに基づいて、切り替え制御部３は、多くとも受信後Ｔ時間の１２セグ放送のエラーの結果から１セグ放送の切り替え時間τをエラーの発生状況に応じて決定し、この切り替え時間に基づいて切り替え部１を制御するように構成する。
【００３７】
次に、このような構成における動作を、図６のフローチャート及び図７の動作説明図を用いて説明する。
【００３８】
まず、現在時刻ｔから１２セグ放送のエラーフラグの検出を開始する（Ｓｔｅｐ  ２００）。エラーフラグが検出されると（Ｓｔｅｐ  ２０１）、エラーフラグ検出時刻ｔ１から切り替え時間τ１を決定する（Ｓｔｅｐ  ２０２）。尚、切り替え時間τ１は、１セグ放送に切替える切り替え時間であり、この切り替え時間は受信装置の置かれた受信環境に応じて適切な時間を予め設定する。
【００３９】
次に、エラーフラグ検出時刻ｔ１から時刻（ｔ１＋τ１）の間にエラーフラグが検出されかを判断する（Ｓｔｅｐ  ２０３）。エラーフラグが検出されなければ、現在時刻ｔが時刻（ｔ１＋τ１）よりも小さいか否かを判断する（Ｓｔｅｐ  ２０４）。この状態を示したのが図７の状態Ａであり、１セグ放送の切り替え時間τは切り替え時間τ１と等しくなる。一方、現在時刻ｔが時刻（ｔ１＋τ１）よりも小さい場合には、Ｓｔｅｐ  ２０３に戻る。
【００４０】
Ｓｔｅｐ  ２０３において、エラーフラグが検出されると、Ｓｔｅｐ  ２０２に戻り、新たなエラーフラグ検出時刻ｔ１からτ１時間の切り替え時間を決定する。この状態を示したのが図７の状態Ｂであり、１セグ放送の切り替え時間τは新たなエラーフラグ検出時刻ｔ１から切り替え時間τ１分だけ延びる。
【００４１】
続いて、Ｓｔｅｐ  ２０４において、現在時刻ｔが時刻（ｔ１＋τ１）よりも大きい場合には、時刻（ｔ１＋τ１）から時刻（ｔ１＋τ１＋τ２）の間にエラーフラグが検出されるかを判断する（Ｓｔｅｐ  ２０５）。尚、τ２は、１セグ放送の切り替え時間を補間する補間時間であり、良好な受信状態が得られないことが予想される場合には、その値を大きくとることにより、１セグ放送の切り替え時間を長く取ることが可能となる。この処理は、記憶部１０，１１を設けて１２セグ放送と１セグ放送を蓄積しタイムシフトさせてモニタ出力することにより始めて可能になる。この処理に用いる補間時間τ２は、記憶部１０，１１が放送を蓄積することができる時間Ｔよりも小さいことが必要である。
【００４２】
尚、記憶部１０、１１を設けない場合には、図６におけるフローチャートのＳｔｅｐ  ２０１からＳｔｅｐ  ２０４までの処理は実現することが可能であり、１セグ放送の切り替え時間をエラーの発生状況に応じて変化させることはできる。記憶部１０、１１を設けることによって、頻繁な切り替えをより防ぐことができる。
【００４３】
エラーフラグが検出された場合、時刻（ｔ１＋τ１）から新たな検出時刻ｔ１までの１セグ放送の切り替え時間を決定し（Ｓｔｅｐ  ２０６）、Ｓｔｅｐ  ２０２に戻る。Ｓｔｅｐ  ２０２に戻り、再度エラーフラグが検出された状態を示したのが図７の状態Ｃであり、１セグ放送の切り替え時間τは、最初の切り替え時間τ１と、最後の切り替え時間τ１と、両者の間を補間した時間の和に等しくなる。
【００４４】
一方、エラーフラグが検出されない場合、現在時刻ｔが時刻（ｔ１＋τ１＋τ２）よりも小さいか否かを判断する（Ｓｔｅｐ  ２０７）。現在時刻ｔが時刻（ｔ１＋τ１＋τ２）よりも小さい場合には、Ｓｔｅｐ  ２０５に戻る。また、現在時刻ｔが時刻（ｔ１＋τ１＋τ２）よりも大きい場合には、Ｓｔｅｐ  ２０１に戻る。
【００４５】
尚、図７の状態Ｂと状態Ｃとの状況が連続して起こった場合の状態を、図７の状態Ｄに示す。
【００４６】
このように、第２の実施の形態では、記憶部を設けて１２セグ放送と１セグ放送を蓄積しタイムシフトさせてモニタ出力することにより、１セグ放送の切り替え時間をエラーの発生状況に応じて変化させることができるので、頻繁な切り替えをより防ぐことができる。
【００４７】
尚、上述した実施の形態では、１２セグ放送（主階層）の受信状態の判定を、放送信号のリードソロモンのエラーフラグを用いて判断したが、これに限ることなく、例えば、放送信号の電界強度や、誤り率に基づいて判断しても良い。
【００４８】
本発明の受信装置は、以上の説明からも明らかなように、ハードウェアで構成することも可能であるが、コンピュータプログラムにより実現することも可能である。
【００４９】
図８は、本発明による受信装置をインプリメントした情報処理システムの一般的ブロック構成図である。
【００５０】
図８に示す情報処理システムは、プロセッサ１００、プログラムメモリ１０１，記憶媒体１０２及び１０３からなる。記憶媒体１０２及び１０３は、別個の記憶媒体であってもよいし、同一の記憶媒体からなる記憶領域であってもよい。記憶媒体としては、ＲＡＭや、ハードディスク等の磁気記憶媒体を用いることができる。
【００５１】
プログラムメモリ１０１には、上述した切り替え部１と、誤り率測定部２やエラーフラグ検出部１２と、切り替え制御部３との各部の処理を、プロセッサ１００に行わせるプログラムが格納されており、このプログラムによってプロセッサ１００は動作する。記憶媒体１０２及び１０３は、上述した記憶部１０及び記憶部１１の役割を果たす。
尚、上述した各部全ての処理をプロセッサ１００で処理することも可能であるが、一部の処理を行うように構成しても良い。
【図面の簡単な説明】
【００５２】
【図１】図１は第１の実施の形態のデジタル放送受信装置のブロック図である。
【図２】図２は第１の実施の形態のデジタル放送受信装置の動作フローチャートである。
【図３】図３は第１の実施の形態の動作を説明する為の図である。
【図４】図４は第１の実施の形態の他の形態のデジタル放送受信装置のブロック図である。
【図５】図５は第２の実施の形態のデジタル放送受信装置のブロック図である。
【図６】図６は第２の実施の形態のデジタル放送受信装置の動作フローチャートである。
【図７】図７は第２の実施の形態の動作を説明する為の図である。
【図８】図８は本発明による受信装置をインプリメントした情報処理システムのブロック構成図である。
【符号の説明】
【００５３】
１          切り替え部
２          誤り率測定部
３          切り替え制御部
４          モニタ
１０，１１  記憶部
１２        エラーフラグ検出部
【図１】
0004803724.tif 000002
【図２】
0004803724.tif 000003
【図３】
0004803724.tif 000004
【図４】
0004803724.tif 000005
【図５】
0004803724.tif 000006
【図６】
0004803724.tif 000007
【図７】
0004803724.tif 000008
【図８】
0004803724.tif 000009